(57)【特許請求の範囲】
【請求項１】
枠体に障子を開き位置と閉じ位置とに亘って移動自在に取り付け、前記枠体の障子よりも室外側部に建具体を取り付けた建具であって、
前記枠体の左右の縦枠又は、当該左右の縦枠と隣接した建物躯体に、ガイド部材をそれぞれ取り付け、
前記建具体は、左右の縦辺を構成する一対の縦材を有し、当該建具体全体の左右の幅が前記縦枠間の幅よりも小さくなり、
前記左右の縦材は、見付け方向外側に向けて開口し、かつ前記ガイド部材と長手方向にスライド自在で、左右方向を軸心として回動自在に嵌まり合うガイド溝を有し、
前記ガイド溝に前記ガイド部材と当接するストッパー部材を、前記建具体が枠体に取り付けられた取り付け位置のときに、当該ストッパー部材が前記ガイド部材よりも上方に位置するように設け、
前記ガイド溝内に前記ガイド部材を挿入するための挿入口を、前記建具体が取り付け位置のときに、当該挿入口が前記ガイド部材よりも下方に位置するように前記縦材に設けたことを特徴とする建具。
【請求項２】
前記ガイド溝は、縦材の見込み幅内に設けられ、
前記ガイド部材は、左右の縦枠の見付け方向内側面よりも内側で、かつ前記縦枠の室外側面よりも室外側に位置するように取り付けてある請求項１記載の建具。
【請求項３】
前記ガイド溝は、一対の開口縁部の室内外方向の開口幅が、当該開口縁部よりも見付け方向内側に位置する奥側空間部の室内外方向の空間幅よりも小さい断面略Ｃ字形状で、
前記ガイド部材は、前記開口縁部間を挿通する小径部と、この小径部に設けられ前記ガイド溝の奥側空間部に沿って長手方向に移動可能な大径部を有し、前記大径部は開口縁部の開口幅よりも大きい請求項１又は２記載の建具。
【請求項４】
前記ガイド部材にストッパー部材が接した状態で、建具体をほぼ水平姿勢から直立姿勢に向けて回動するときに、建具体の上部が枠体の上枠と干渉しないようにした請求項１〜３いずれか１項に記載の建具。
【請求項５】
前記建具体の下部に、当該建具体の下部を枠体の下枠に、室内外側方向及び下方に動かないように支持する下外れ止め手段を設け
前記建具体の上部に、当該建具体の上部を枠体の上枠に、室内外側方向及び上方に動かないように支持する上外れ止め手段を設け、
前記下外れ止め手段、上外れ止め手段は、ストッパー部材がガイド部材に接した直立姿勢から建具体を上下けんどん式に移動することで建具体の上部、下部を支持できる構成とした請求項４記載の建具。
【発明の詳細な説明】
【技術分野】
【０００１】
本発明は、建具体を備えた建具に関する。
【背景技術】
【０００２】
従来、枠体に障子を開き位置と閉じ位置とに移動自在に取り付けた建具においては、その障子を開き位置に移動した開放状態のときに、枠体と障子との間の開口部から虫が室内に侵入することがあるので、枠体に建具体を取り付けることがある。
例えば、枠体の障子よりも室外側部に網戸を取り付けることがある。
前述のように、障子よりも室外側部に網戸を取り付ける場合、室外側から作業すれば簡単に取り付け、取り外しできるが、室内側から取り付け、取り外しするのは大変面倒であると共に、作業中に誤って網戸から手を放してしまうと網戸が落下する恐れがある。
【０００３】
一方、特許文献１に開示したように、枠体に上の障子と下の障子を上下動自在に取り付け、その上の障子の下部と下の障子の上部に網戸をそれぞれ取り付けた建具が提案されている。
この建具であれば、障子に網戸を取り付けた状態で、その障子を枠体に取り付けたり、取り外したりすることが可能である。
【先行技術文献】
【特許文献】
【０００４】
【特許文献１】実公昭５９−１５５９５号公報
【発明の概要】
【発明が解決しようとする課題】
【０００５】
前述した従来の建具であれば、障子とともに網戸を室内側から取り付け、取り外しできるが、網戸を取り付けた障子を枠体に取り付け、取り外しする作業は大変面倒である。
そこで、障子を枠体に取り付けた状態で、網戸を取り付け、取り外しすることが考えられるが、室内側から上の障子の下部に網戸を取り付け、取り外しする際に、網戸から誤って手を離すと網戸が落下する恐れがある。
【０００６】
本発明の目的は、室内側から建具体を簡単に取り付け、取り外しできると共に、作業中に誤って建具体から手を離しても建具体が落下することがないようにした建具とすることである。
【課題を解決するための手段】
【０００７】
本発明は、枠体に障子を開き位置と閉じ位置とに亘って移動自在に取り付け、前記枠体の障子よりも室外側部に建具体を取り付けた建具であって、前記枠体の左右の縦枠又は、当該左右の縦枠と隣接した建物躯体に、ガイド部材をそれぞれ取り付け、前記建具体は、左右の縦辺を構成する一対の縦材を有し、当該建具体全体の左右の幅が前記縦枠間の幅よりも小さくなり、前記左右の縦材は、見付け方向外側に向けて開口し、かつ前記ガイド部材と長手方向にスライド自在で、左右方向を軸心として回動自在に嵌まり合うガイド溝を有し、前記ガイド溝に前記ガイド部材と当接するストッパー部材を、前記建具体が枠体に取り付けられた取り付け位置のときに、当該ストッパー部材が前記ガイド部材よりも上方に位置するように設け、前記ガイド溝内に前記ガイド部材を挿入するための挿入口を、前記建具体が取り付け位置のときに、当該挿入口が前記ガイド部材よりも下方に位置するように前記縦材に設けたことを特徴とする建具である。
【０００８】
本発明は、前記ガイド溝は、縦材の見込み幅内に設けられ、前記ガイド部材は、左右の縦枠の見付け方向内側面よりも内側で、かつ前記縦枠の室外側面よりも室外側に位置するように取り付けた建具とすることができる。
このようにすれば、建具体を室内側から室外側に向けて移動してガイド溝をガイド部材に挿入する作業がやり易い。
しかも、取り付けした建具体と障子との間の室内外側方向の隙間を、容易に適正な値とすることができる。
【０００９】
本発明は、前記ガイド溝は、一対の開口縁部の室内外方向の開口幅が、当該開口縁部よりも見付け方向内側に位置する奥側空間部の室内外方向の空間幅よりも小さい断面略Ｃ字形状で、前記ガイド部材は、前記開口縁部間を挿通する小径部と、この小径部に設けられ前記ガイド溝の奥側空間部に沿って長手方向に移動可能な大径部を有し、前記大径部は開口縁部の開口幅よりも大きい建具とすることができる。
このようにすれば、ガイド溝をガイド部材に挿入した状態ではガイド溝とガイド部材の大径部が干渉して建具体が面内方向に外れることがない。
したがって、左右の縦材が建具体の面内方向内側に向けて湾曲している建具体を、ガイド部材に沿ってスライドしながら取り付けるときに、ガイド溝がガイド部材から外れることがなく、建具体を取り付けできる。
【００１０】
本発明は、前記ガイド部材にストッパー部材が接した状態で、建具体をほぼ水平姿勢から直立姿勢に向けて回動するときに、建具体の上部が枠体の上枠と干渉しないようにした建具とすることができる。
このようにすれば、室内側から建具体を取り付けるときに、建具体を、ほぼ水平姿勢としてガイド溝をガイド部材に挿入し、さらに建具体を室外側に移動してストッパー部材をガイド部材に接し、その状態で建具体を下方に回動して直立姿勢とすることができるので、建具体の取り付けがより簡単である。
【００１１】
本発明は、前記建具体の下部に、当該建具体の下部を枠体の下枠に、室内外側方向及び下方に動かないように支持する下外れ止め手段を設け、前記建具体の上部に、当該建具体の上部を枠体の上枠に、室内外側方向及び上方に動かないように支持する上外れ止め手段を設け、前記下外れ止め手段、上外れ止め手段は、ストッパー部材がガイド部材に接した直立姿勢から建具体を上下けんどん式に移動することで建具体の上部、下部を支持できる構成とした建具とすることができる。
このようにすれば、直立姿勢の建具体を上下けんどん式に移動することで、建具体が外れないように枠体に取り付けできる。
【発明の効果】
【００１２】
本発明によれば、室内側から建具体を室外側に移動してガイド溝をガイド部材に挿入する動作及び、建具体を室外側に順次移動しながら下方に回動して直立姿勢とする動作により、室内側から建具体を障子よりも室外側部に直立姿勢として設けることができ、室内側から建具体を簡単に取り付け、取り外しできる。
前述の動作をしているときに誤って建具体から手を離しても、ストッパー部材がガイド部材に接することで、建具体の下方への移動を規制するので、作業中に誤って建具体から手を離しても建具体が落下することがない。
【図面の簡単な説明】
【００１３】
【図１】建具の縦断面図である。
【図２】建具の横断面図である。
【図３】ガイド溝をガイド部材に挿入する動作説明図である。
【図４】ガイド溝、ガイド部材部分の拡大横断面図である。
【図５】図４の左側面図である。
【図６】網戸の正面図である。
【図７】下外れ止め手段の拡大図である。
【図８】上外れ止め手段の拡大図である。
【図９】網戸取付動作説明図である。
【図１０】網戸取付動作説明図である。
【図１１】網戸取付動作説明図である。
【発明を実施するための形態】
【００１４】
図１と図２に示すように、枠体１に障子２を開き位置と同じ位置とに亘って移動自在に取り付けて建具としてある。
例えば、枠体１に室外側の上障子２ａと室内側の下障子２ｂを上下方向に移動自在に取り付け、建具としての上げ下げ窓としてある。
枠体１の障子２（上障子２ａ）よりも室外側部に建具体としての網戸３が取り付けてある。
この網戸３は、障子２を開き位置として障子２と枠体１との間を開口したときに、その開口部を覆うようにしてある。
例えば、枠体１の開口の室外側全面を覆うように取り付け、上障子２ａと枠体１との間の開口部、下障子２ｂと枠体１との間の開口部を覆うように取り付けてある。
【００１５】
枠体１は、面内方向の上下に対向した上枠１０と下枠１１、面内方向の左右に対向した左右の縦枠１２，１２で方形枠形状である。
上障子２ａを下方に移動して開き位置とすることで、その上障子２ａの上部と上枠１０と左右の縦枠１２とで区画された間に開口部を形成し、下障子２ｂを上方に移動して開き位置とすることで、その下障子２ｂの下部と下枠１１と左右の縦枠１２とで区画された間に開口部を形成する。
【００１６】
網戸３は、面内方向の上下に対向した上框３０、下框３１と、面内方向の左右に対向した左右の縦材としての縦框３２を方形状に連結し、その内部に防虫網３３が張設してある。
上框３０と下框３１が前述の枠体１の開口部を形成する面内方向に対向した枠（上枠１０、下枠１１）に保持される面内方向に対向した枠で、前記左右の縦枠３２が前述の枠体１の開口部を形成する面内方向に対向した枠（左右の縦枠１２）と対向した面内方向に対向した框である。
【００１７】
網戸３は、前記枠１と障子２との間の開口部を通して室内側と室外側とに移動可能である。
例えば、左右の縦框３２間の寸法（面内方向の寸法）が前記枠体１の左右の縦枠１２間の寸法（開口部の面内方向の寸法）よりも小さく、網戸３の厚さ（面外方向の寸法）が枠１（上枠１０）と障子２（上障子２ａ）との間の開口部の面内方向の上下寸法よりも小さい。
【００１８】
左右の縦框３２は、ガイド溝３４を長手方向に連続して有し、このガイド溝３４は網戸の面内方向の外側（左右の縦枠１２側）に向けて開口している。
ガイド溝３４は縦框３２の室内側面３２ａと室外側面３２ｂとの間、つまり縦框３２の見込み幅内に設けてある。
左右の縦枠１２にはガイド部材４がそれぞれ取り付けてある。
このガイド部材４は、左右の縦枠１２の見付け方向内側面１２ａよりも面内方向内側（左右の縦框３２側）で、かつ縦枠１２の室外側面１２ｂよりも室外側に位置している。
【００１９】
網戸３（上框３０、下框３１、縦框３２）は枠体１の室外側面（上枠１０の室外側面１０ａ、下枠１１の室外側面１１ａ、縦枠１２の室外側面１２ｂ）よりも室外側に張り出し、障子２（上障子２ａ）よりも室外側に位置し、前記各ガイド溝３４と各ガイド部材４が長手方向にスライド自在で、かつ左右方向を軸心（一対のガイド部材４を軸心）として上下方向に回動自在に嵌まり合っている。
【００２０】
ガイド溝３４とガイド部材４は、網戸３を室内側から前述の開口部（障子２を開き位置としたときの障子２と枠体１との間の開口部）を通して室外側に移動することで、その網戸３のガイド溝３４を当該ガイド部材４に挿入できるようにしてある。
例えば、図３に示すように、上障子２ａを下方に移動して上障子２ａと上枠１０との間に開口部１ａを形成したときに、網戸３を室内側においてほぼ水平姿勢として前述の開口部１ａを通し、網戸３の取付状態で下部となる部分（以下網戸３の下部という）を室外側に向けて矢印ａで示すように移動することで、各ガイド溝３４の長手方向一端部（下框３１側の端部）３４ａ、つまり縦框３２の木口側から仮想線で示すように、各ガイド部材４に挿入できるようにしてある。つまり、ガイド溝３４の長手方向一端部（下框３１側の端部）３４ａが、ガイド溝３４内にガイド部材４を挿入するための挿入口となる。なお、挿入口としてはガイド溝３４の長手方向一端部（下框３１側の端部）３４ａに限らず、ガイド溝３４内にガイド部材４を挿入するための挿入口を、網戸３（建具体）が取り付け位置のときに、挿入口がガイド部材４よりも下方に位置するように縦框３２（縦材）に設けてあれば他の部分に設けても良い。例えば、網戸３が水平姿勢においてガイド溝３４の上下方向一方側に位置する側面（網戸３が直立姿勢においてガイド溝３４の室内外方向一方側に位置する側面）に挿入口を設けても良い。この場合は、網戸３を室内側においてほぼ水平姿勢として前述の開口部１ａを通した後、上下方向一方側に開口した挿入口にガイド部材４を挿入するように網戸３を上下方向に移動することでガイド部材４がガイド溝３４内に挿入される。
ほぼ水平姿勢とは網戸３の面内方向がほぼ水平に向かう姿勢である。
【００２１】
このようであるから、網戸３を室内側から取り付ける場合には、前述したように開口部１ａを通して各ガイド溝３４の長手方向一端部３４ａを各ガイド部材４にそれぞれ挿入し、その状態で網戸３をガイド部材４に沿って室外側に向けて順次移動しながら網戸３の取付状態で上部となる部分（以下、網戸３の上部という）を、矢印ｂで示すように上方に移動し、網戸３を、前記ガイド部材４を中心として下方に回動することで網戸３を障子２（上障子２ａ）よりも室外側部において直立姿勢とし、枠体１に取り付ける。前記直立姿勢とは網戸３の面内方向がほぼ垂直に向かう姿勢である。
【００２２】
したがって、枠体１に障子２を取り付けた状態で、室内側から網戸３を枠体１の障子２よりも室外側部に簡単に取り付けできる。
なお、障子２を取り付ける以前にも前述のようにして網戸３を取り付けできることは勿論である。
【００２３】
また、前述のように網戸３を取り付けた状態において、ガイド部材４はガイド溝３４内に挿入されているので、前述とは反対に、取り付けてある網戸３を開口部１ａから上に移動しながらほぼ水平姿勢となるように回動して室内側に移動することで、網戸３を取り外しできる。
したがって、枠体１の障子２よりも室外側部に取り付けてある網戸３を、障子２を取り付けた状態で室内側から簡単に取り外しできる。
【００２４】
また、前述したように、ガイド溝３４を縦框３２の見込み幅内に設け、ガイド部材４を縦枠１２の見付け方向内側面１２ａよりも内側で、室外側面１２ｂよりも室外側に位置させたことで、前述のように網戸３をほぼ水平姿勢として室外側に移動してガイド溝３４をガイド部材４に挿入する際に、ガイド部材４を見ながら挿入することが可能であるから、ガイド溝３４をガイド部材４に挿入する作業がやり易い。
しかも、網戸３を取り付けた状態で、ガイド部材４と網戸３の室内外側方向の位置関係は、網戸３（縦框３３）の見込み幅内にガイド部材４が位置するので、網戸３を取り付けた状態において、その網戸３と障子２（上障子２ａ）との間の室内外側方向の隙間を、ガイド部材４の取付位置に応じた適正な値とすることができる。
【００２５】
つまり、ガイド溝３４を縦框３２の室内側面３２ａよりも室内側に突出して設けたり、室外側面３２ｂよりも室外側に突出して設けても良いが、このようにすると、ガイド溝３４が網戸３の見込み幅よりも突出するので、そのガイド溝３４をガイド部材４に位置合わせしづらく、ガイド溝３４をガイド部材４に挿入する作業がやりづらくなってしまう。
しかも、取り付けた状態の網戸３と障子２との室内外側方向の隙間が、大きくなったり、小さくなり過ぎたりすることがある。
【００２６】
縦框３２のガイド溝３４内にはストッパー部材５が取り付けてある。
このストッパー部材５は、図１に示すように、網戸３が直立姿勢で、かつ取付位置のときには前記ガイド部材４よりも上方に位置し、当該網戸３が取付位置よりも下方に移動するとストッパー部材５がガイド部材４に当接し、網戸３が下方に移動することを規制する。
【００２７】
このようであるから、前述のようにして網戸３を取り付け、取り外している作業中に、誤って網戸３から手を離しても、その網戸３はストッパー部材５がガイド部材４に当接し、それ以上下方に移動しないので、網戸３が落下することがない。
【００２８】
網戸３の下部は、下框３１に設けた下外れ止め手段６で下枠１１に、室内外側方向及び面内方向下方に動かないように支持される。
網戸３の上部は、上框３０に設けた上外れ止め手段７で上枠１０に、室内外側方向及び面内方向上方に動かないように支持される。
これによって、網戸３が外れることがない。
【００２９】
ガイド溝３４は図４、図５に示すように、開口縁に内向片３５を有し、一対の開口縁部の室内外方向の開口幅としての開口縁側開口部３４ａの開口幅Ｈ１が奥側空間部の空間幅としての奥側開口部３４ｂの開口幅Ｈ２よりも小さい、断面略Ｃ字形状、いわゆるあり溝形状としてある。
ガイド部材４は、小径部４０と大径部４１を有し、その小径部４１がブラケット４２に取り付けてある。
ブラケット４２が縦枠１２の室外側面１２ｂに固着具４３で固着して取り付けてある。
小径部４０は前記開口縁側開口部３４ａの開口幅Ｈ１よりも小径で、この小径部４０は開口縁側開口部３４ａを挿通可能である。
大径部４１は前記開口縁側開口部３４ａの開口幅Ｈ１よりも大径で、奥側開口部３４ｂの開口幅Ｈ２よりも小径で、この大径部４１は開口縁側開口部３４ａと干渉する。
【００３０】
ガイド部材４は、図２に仮想線で示すように、枠体１を取り付ける建物躯体８に取り付けても良い。
例えば、建物躯体８の室外側面８ａにおける左右の縦枠１２と隣接した部分に、前記ブラケット４２を固着具で取り付け、ガイド部材４を縦枠１２の見付け方向内側面１２ａよりも内方に突出させる。
【００３１】
このようであるから、ガイド溝３４がガイド部材４に挿入した状態では、ガイド溝３４の内向片３５とガイド部材４の大径部４１が干渉することで、縦框３２はガイド部材４に対して見付け方向内側に移動できないから、ガイド溝３４がガイド部材４から縦框３２の見付け方向（網戸３の面内方向）に外れることがない。
したがって、図６に仮想線で示すように網戸３の縦框３２が網戸３の面内方向内側に湾曲変形している網戸３を、前述のようにして取り付ける際に、ガイド溝３４がガイド部材４から外れることがなく、前述と同様にして網戸３を取り付けることができる。
【００３２】
つまり、ガイド部材４が小径部４０のみであったり、ガイド溝３４が内向片３５を有しない場合には、前述したように縦框３２が湾曲した網戸３を取り付ける際に、網戸３を室外側に移動することでガイド溝３４がガイド部材４から外れ、網戸３が脱落して取り付けできないことがある。
【００３３】
縦框３２の見付け方向外側面３２ｃに、ガイド溝３４を有したガイドレール３６を固着具、例えばビス３７で固着してある。
このガイドレール３６は縦框３２の見込み幅内に位置している。
このように、縦框３２とガイドレール３６を別部品とすることで、縦框３２を通常の網戸に用いる縦框を利用できる。
しかも、前述したようにガイドレール３６を縦框３２の室外側面３２ｂ、室内側面３２ａよりも突出して取り付けることで、ガイド溝３４を縦框３２の見込み幅よりも室外側、室内側に突出させることもできる。
なお、ガイド溝３４は縦框３２に一体に設けても良い。
【００３４】
図４に示すように、縦框３２の室内側面３２ａには縦シール材３８が室内側に向けて取り付けてある。
縦シール材３８は障子２（上障子２ａ）の室外側面２０に接している。
【００３５】
ストッパー部材５は、ガイド溝３４の底部３４ｃに螺合したビス５０としてある。
このようであるから、ガイド溝３４の開口縁側開口部３４ａからビス５０を底部３４ｃに向けて螺合することでストッパー部材５を取り付けできる。
なお、ビス５０を螺合し易いように内向片３５に切欠部３５ａが形成してある。
ストッパー部材５はビス５０に限ることはなく、ピンをガイド溝の底部の穴に圧入したり、ブロックをガイド溝３４に圧入して固定したり、ブロックをガイド溝の底部にビス止めして取り付けしたりしても良い。
【００３６】
ガイド部材４とストッパー部材５の位置関係は、後述するように、網戸３をほぼ水平姿勢としてストッパー部材５をガイド部材４に当接した状態で、網戸３をガイド部材４を支点として直立姿勢に向けて回動した際に、網戸３の上部（上框３０）が枠体１（上枠１０）に干渉しないようにしてある。
このようであるから、網戸３を室内側から取り付けるときに、網戸３をストッパー部材５がガイド部材４に当接するまで室外側に向けて移動し、その状態で網戸３をガイド部材４を支点として回動することで直立姿勢とすることで取り付けできるから、網戸３の取付作業がより容易である。
【００３７】
下外れ止め手段６は図１と図７に示すように、網戸３の下部、つまり、下框３１の室内側面３１ａに固着具、例えばビス６０で固着して取り付けた外れ止め金具６１と、下框３１に一体に設けた支持部６２を備えている。
外れ止め金具６１は、取付片６３と支持片６４と外れ止め片６５でほぼクランク形状で、その取付片６３が下框３１の室内側面３１ａにビス６０で固着され、支持片６４が下枠１１の上向片１１ｂの上端面に接して落下しないように支持し、外れ止め片６５が上向片１１ｂの室内側面に接することで室外側に移動しないように支持する。
支持部６２は、下框３１の室内側面３１ａよりも室内側に突出した突片で、その支持部６２が前記下枠１１の上向片１１ｂの室外側面に当接することで室内側に移動しないように支持する。
【００３８】
外れ止め片６５と支持部６２は室内外側方向に離隔し、網戸３を上から下に向けて移動することで、外れ止め片６５が上向片１１ｂよりも室内寄りで、支持部６２が上向片１１ｂよりも室外寄りとなると共に、支持片６４が上向片１１ｂの上端面に接するように取り付けできる。
したがって、直立姿勢の網戸３を上下けんどん式に移動することで、網戸３の下部を下枠１１で支持でき、その作業が容易である。
【００３９】
上外れ止め手段７は図１と図８に示すように、網戸３の上部、例えば上框３０の室内側面３０ａに固着具、例えばビス７０で固着して取り付けた外れ止め金具７１と、上框３０に一体に設けた押え部７２を有している。
外れ止め金具７１は、取付片７３と支持片７４と外れ止め片７５でほぼクランク形状で、その取付片７３がビス７０で上框３０の室内側面３０ａに固着して取り付けてある。
ビス７０を弛めることで、外れ止め金具７１は図８に実線で示す外れ止め片７５が上向きとなった外れ止め姿勢と、図８に仮想線で示すように外れ止め片７５が下向きとなった網戸取付姿勢とに亘って回転変位できる。
【００４０】
外れ止め金具７１が外れ止め姿勢のときに、外れ止め片７５が上枠１０の室外側に設けた垂下片１０ｂの室内側面と対向し、網戸３の上部が室外側に動くことを規制する。
支持片７４が垂下片１０ｂの下端面に当接することで網戸３が上方に動くことを規制する。
押え部７２が垂下片１０ｂの室外側面と対向し、その押え部７２が垂下片１０ｂの室外側面に当接することで、網戸３が室内側に動くことを規制する。
【００４１】
外れ止め金具７１が網戸取付姿勢のときには、外れ止め片７５は垂下片１０ｂよりも下方に位置し、網戸３を前述のようにして取り付けるときに、外れ止め片７５が上枠１０の垂下片１０ｂと干渉しないようにしてある。
そして、外れ止め金具７１を外れ止め姿勢とした状態で、上框３０を垂下片１０ｂよりも下方まで移動し、その後に網戸３を持ち上げることで、外れ止め片７５が垂下片１０ｂの室内側面と対向し、かつ押え部７２が垂下片１０ｂの室外側面と対向した取付姿勢とすることができる。
【００４２】
このようであるから、前述のようにして網戸３を障子２の室外側に直立姿勢とし、この状態から網戸３を上下けんどん式に動かして取り付けできる。
なお、下外れ止め手段６、上外れ止め手段７は前述のものに限ることはなく、従来から用いられている手段とすることができる。
【００４３】
前記網戸３の取付作業の一例を説明する。
前述の図３に示すように、障子２（上障子２ａ）を開き位置として上障子２ａと上枠１０との間に開口部１ａを形成する。
前記網戸３を室内側においてほぼ水平姿勢とし、前記開口部１ａを通して室外側に移動し、ガイド溝３４をガイド部材４に挿入する。
このとき、上外れ止め手段７は、外れ止め金具７１を、外れ止め片７５が下方に位置する網戸取付姿勢とする。
【００４４】
網戸３を室外側に移動し、図９に示すようにガイド部材４にストッパー部材５を当接する。
この状態で矢印ｃで示すように網戸３を下方に回動することで、図１０に示すように、ストッパー部材５がガイド部材４に接している直立姿勢とする。
前述のように網戸３を回動するときに、網戸３の上部（上框３０）及び上外れ止め手段７が上枠１０、例えば上枠１０の垂下片１０ｂに干渉することがない。
【００４５】
前述した図１０に示す直立姿勢のときには、網戸３の上框３０（上部）が上枠１０の垂下片１０ｂの下端面よりも下方に位置すると共に、網戸３の下框３１（下部）が下枠１１の下部よりも下方に突出し、網戸３の取付位置よりも下方に位置する。
図１０に示す状態から網戸３を持ち上げると共に、網戸３の下部を室内側に動かして、外れ止め手段６の外れ止め片６５を、下枠１１の上向片１１ｂよりも上方で、かつ室内側に位置させる。
【００４６】
この状態で網戸３を下方に動かして図１１に示すように、前記下外れ止め手段６の支持片６４を下枠１１の上向片１１ｂの上端面に接し、かつ外れ止め片６５を上向片１１ｂよりも室内側に位置させると共に、支持部６２を下枠１１の室外側面１１ａと対向し、網戸３の下部を下枠１１で、室内外側方向に動くことがないと共に、下方に動くことがないように支持する。
図１１に示す状態では、上外れ止め手段７の支持部７２が上枠１０の室外側面１０ａと対向している。
この状態で、外れ止め金具７１を外れ止め姿勢として図１、図８に示すように外れ止め片７５を上枠１０の垂下片１０ｂの室内側面と対向して網戸３の上部を室内外側方向、下方に動かないようにする。
【００４７】
前述の実施の形態では、建具を上げ下げ窓としたが、これに限ることはなく、内倒し窓、内開き窓、すべり出し窓などでも良い。
また、前述の実施の形態では、建具体として網戸３を説明したがこれに限ることなく、建具体としては網戸以外のものでも良い。例えば、格子を備えた防犯用建具体、半透明の樹脂パネルを備えることで外部からの視線を遮りながらも採光を確保した建具体、回動可能なルーバーを備えることで遮視性、防犯性、通風性を確保した建具体、等であっても良い。
【符号の説明】
【００４８】
１…枠体、２…障子、２ａ…上障子、２ｂ…下障子、３…網戸（建具体）、４…ガイド部材、５…ストッパー部材、６…外れ止め手段、７…上外れ止め手段、８…建物躯体、１０…上枠、１１…下枠、１２…縦枠、３０…上框、３１…下框、３２…縦框（縦材）、３４…ガイド溝、３４ａ…開口縁側開口部、３４ｂ…奥側開口部、４０…小径部、４１…大径部。
【図１】
0005328746.tif 000002
【図２】
0005328746.tif 000003
【図３】
0005328746.tif 000004
【図４】
0005328746.tif 000005
【図５】
0005328746.tif 000006
【図６】
0005328746.tif 000007
【図７】
0005328746.tif 000008
【図８】
0005328746.tif 000009
【図９】
0005328746.tif 000010
【図１０】
0005328746.tif 000011
【図１１】
0005328746.tif 000012